(57)【要約】【課題】無線端末の待受時における消費電力を低減する無線端末呼出方法を提供する。【解決手段】識別子であるＩＤを有する複数の無線端末と無線通信を行う無線基地局が無線フレームの報知用論理チャネルを用いて無線端末を呼び出す無線端末呼出方法において、第１の呼び出し方式を用いた場合の呼び出し対象の無線端末に対する論理チャネルの割当位置の情報を含む報知信号２を受信する端末数Ａを算出し（Ｓ１）、第２の呼び出し方式を用いた場合の報知信号２を受信する端末数Ｂを算出し（Ｓ２）、端末数Ａと端末数Ｂを比較して（Ｓ３）、少ない端末数を示すいずれかの呼び出し方式を用いて無線端末を呼び出す無線端末呼出方法。【選択図】図１０
2010199901.tif 000002
【特許請求の範囲】
【請求項１】
複数の論理チャネルから構成される無線フレームを用いて、識別子である無線端末ＩＤを有する複数の無線端末と無線通信を行う無線基地局が、当該無線フレームに割り当てられた報知用論理チャネルを用いて当該無線端末を呼び出す無線端末呼出方法において、
無線端末の呼出情報を含む報知信号１と、論理チャネルの割当位置の情報を含む報知信号２とを用いて、無線基地局と無線端末との間で無線通信を行う際に、
呼び出し対象となる無線端末を示す無線端末ＩＤの全部又は一部の情報を前記報知信号１の呼出情報に含ませて当該無線端末を呼び出す第１の呼び出し方式を用いた場合に前記報知信号２を受信する第１の端末数を算出し、
呼び出し対象となる無線端末の属する端末グループを示す情報を前記報知信号１の呼出情報に含ませて当該無線端末を呼び出す第２の呼び出し方式を用いた場合に前記報知信号２を受信する第２の端末数を算出し、
前記第１又は第２の呼び出し方式について、前記第１の端末数と前記第２の端末数を比較して少ない端末数を示すいずれかの呼び出し方式を用いて前記無線端末を呼び出す
ことを特徴とする無線端末呼出方法。
【請求項２】
前記第１の呼び出し方式によって、
前記無線基地局において呼び出し対象となる無線端末を示す無線端末ＩＤの全部又は一部の情報を前記呼出情報が含む報知信号１を無線端末に対して前記無線フレームの報知用論理チャネルを用いて送信する手順と、
前記無線基地局において前記報知信号２を無線端末に対して前記無線フレームの報知用論理チャネルを用いて送信する手順と、
前記無線端末において前記報知信号１を受信する手順と、
前記無線端末において前記報知信号１に自端末を示す無線端末ＩＤの全部又は一部の情報が含まれているか否かを判定し、含まれている場合に前記報知信号２を続けて受信する手順と、
前記無線端末において前記受信した報知信号２に自端末宛の割当情報がない場合には、受信を中止し、前記受信した報知信号２に自端末宛の割当情報がある場合には、前記報知信号２に含まれる論理チャネルの割当位置の情報を基に、前記無線基地局から自端末宛に送信されるデータを受信する手順と
が行われることを特徴とする請求項１に記載の無線端末呼出方法。
【請求項３】
前記第２の呼び出し方式によって、
前記無線基地局において呼び出し対象となる無線端末の属する端末グループを示す情報を前記呼出情報が含む報知信号１を無線端末に対して前記無線フレームの報知用論理チャネルを用いて送信する手順と、
前記無線基地局において前記報知信号２を無線端末に対して前記無線フレームの報知用論理チャネルを用いて送信する手順と、
前記無線端末において前記報知信号１を受信する手順と、
前記無線端末において前記報知信号１に自端末が属する端末グループを示す情報が含まれているか否かを判定し、含まれている場合に前記報知信号２を続けて受信する手順と、
前記無線端末において前記受信した報知信号２に自端末宛の割当情報がない場合には、受信を中止し、前記受信した報知信号２に自端末宛の割当情報がある場合には、前記報知信号２に含まれる論理チャネルの割当位置の情報を基に、前記無線基地局から自端末宛に送信されるデータを受信する手順と
が行われることを特徴とする請求項１又は２に記載の無線端末呼出方法。
【請求項４】
前記報知信号１の呼出情報が、
呼出端末情報の形式を示す種別情報と、
呼び出し対象となる無線端末を示す無線端末ＩＤの全部若しくは一部の情報又は呼び出し対象となる無線端末の属する端末グループを示す情報を示す呼出端末情報と
を含んで構成されている
ことを特徴とする請求項１から３のいずれか１項に記載の無線端末呼出方法。
【請求項５】
前記呼び出し対象となる無線端末を示す無線端末ＩＤの全部又は一部の情報が、前記無線端末ＩＤを２進数表示した場合の全部のビット又は一部のビットを１つで表した又は複数組み合わせたものであり、
前記呼び出し対象となる無線端末の属する端末グループを示す情報が、前記呼出端末情報を構成する複数のビットの各ビットの位置によって呼び出し対象となる無線端末が属する端末グループを表すものである
ことを特徴とする請求項４に記載の無線端末呼出方法。
【請求項６】
前記第１又は第２の呼び出し方式について、前記第１の端末数と前記第２の端末数を比較して少ない端末数を示すいずれかの呼び出し方式を用いて前記無線端末を呼び出す処理が、前記無線端末の呼出を行うたびに実施される
ことを特徴とする請求項１から５のいずれか１項に記載の無線端末呼出方法。
【請求項７】
複数の論理チャネルから構成される無線フレームを用いて、識別子である無線端末ＩＤを有する複数の無線端末と無線通信を行う無線基地局が、当該無線フレームに割り当てられた報知用論理チャネルを用いて当該無線端末を呼び出す無線アクセスシステムであって、
前記無線基地局が、
無線端末の呼出情報を含む報知信号１と、論理チャネルの割当位置の情報を含む報知信号２とを用いて、無線基地局と無線端末との間で無線通信を行う際に、
呼び出し対象となる無線端末を示す無線端末ＩＤの全部又は一部の情報を前記報知信号１の呼出情報に含ませて当該無線端末を呼び出す第１の呼び出し方式を用いた場合に前記報知信号２を受信する第１の端末数を算出するとともに、呼び出し対象となる無線端末の属する端末グループを示す情報を前記報知信号１の呼出情報に含ませて当該無線端末を呼び出す第２の呼び出し方式を用いた場合に前記報知信号２を受信する第２の端末数を算出し、前記第１又は第２の呼び出し方式について、前記第１の端末数と前記第２の端末数を比較して少ない端末数を示すいずれかの呼び出し方式を選択する報知信号生成部と、
前記報知信号生成部で選択された呼び出し方式を用いて前記無線端末を呼び出す送受信部と
を備えることを特徴とする無線アクセスシステム。
【請求項８】
前記送受信部が、前記第１の呼び出し方式によって、呼び出し対象となる無線端末を示す無線端末ＩＤの全部又は一部の情報を前記呼出情報が含む報知信号１を無線端末に対して前記無線フレームの報知用論理チャネルを用いて送信するとともに、前記報知信号２を無線端末に対して前記無線フレームの報知用論理チャネルを用いて送信し、
前記無線端末が、
前記報知信号１を受信して、前記報知信号１に自端末を示す無線端末ＩＤの全部又は一部の情報が含まれているか否かを判定する報知信号１判定部と、
前記報知信号１判定部で含まれていると判定された場合に前記報知信号２を続けて受信する報知信号２受信部と、
前記受信した報知信号２に自端末宛の割当情報がない場合には、受信を中止し、前記受信した報知信号２に自端末宛の割当情報がある場合には、前記報知信号２に含まれる論理チャネルの割当位置の情報を基に、前記無線基地局から自端末宛に送信されるデータを受信するデータ受信部と
を備える
ことを特徴とする請求項７に記載の無線アクセスシステム。
【請求項９】
前記送受信部が、前記第２の呼び出し方式によって、呼び出し対象となる無線端末の属する端末グループを示す情報を前記呼出情報が含む報知信号１を無線端末に対して前記無線フレームの報知用論理チャネルを用いて送信するとともに、前記報知信号２を無線端末に対して前記無線フレームの報知用論理チャネルを用いて送信し、
前記無線端末が、
前記報知信号１を受信して、前記報知信号１に自端末が属する端末グループを示す情報が含まれているか否かを判定する報知信号１判定部と、
前記報知信号１判定部で含まれていると判定された場合に前記報知信号２を続けて受信する報知信号２受信部と、
前記受信した報知信号２に自端末宛の割当情報がない場合には、受信を中止し、前記受信した報知信号２に自端末宛の割当情報がある場合には、前記報知信号２に含まれる論理チャネルの割当位置の情報を基に、前記無線基地局から自端末宛に送信されるデータを受信するデータ受信部と
を備える
ことを特徴とする請求項７又は８に記載の無線アクセスシステム。
【発明の詳細な説明】
【技術分野】
【０００１】
本発明は、無線基地局と無線端末との間で無線通信を行うために用いられる無線端末呼出方法及び無線アクセスシステムに関する。
【背景技術】
【０００２】
広帯域移動アクセスシステム（HiSWANa）標準規格 ARIB STD-T70 2.0版（非特許文献１参照）では、無線アクセスネットワークにおいて、呼出待ち状態にある無線端末が、システム情報を同報する報知信号１を周期的に受信する。無線基地局が無線端末を呼び出す場合は、報知信号１中に呼出ビット（１ビット）をセットする。呼出ビットがセットされた報知信号１を受信した場合、無線端末は報知信号１に続く報知信号２を受信する。報知信号２では、各無線端末宛てのバースト割当情報が通知される。そして、報知信号２を受信した無線端末は、その中のバースト割当情報をチェックし、自分宛ての割当があった場合、呼出待ち状態から通信状態へ遷移し、通信を行う。割当がなかった場合、呼出待ち状態を継続する。これらのアクセス制御は、所定のＭＡＣ（Medium Access Control）フレームを用いて行われている。
【０００３】
HiSWANa標準規格において、ＭＡＣフレームの長さは固定長であり、ＭＡＣフレーム内の前半が無線基地局から無線端末へ向かう下りリンクであり、後半が無線端末から無線基地局へ向かう上りリンクである。この下りリンクは報知情報を送信するブロードキャスト領域とユニキャスト・データを送信するデマンドアサイン領域から構成される。ブロードキャスト領域ではＭＡＣフレームの構成要素である論理チャネルのうち、ＢＣＣＨ（Broadcast Control Channel）、ＦＣＣＨ（Frame Control Channel）、ＲＦＣＨ（Random access Feedback Channel）が送信される。デマンドアサイン領域では、ＭＡＣフレームの構成要素である論理チャネルのうち、ＵＤＣＨ（User Data Channel）、ＬＣＣＨ（Link Control Channel）が送信される。ここで、ＢＣＣＨは、無線基地局の識別子である無線基地局ＩＤ、ＭＡＣフレームのフレーム番号を示すＭＡＣフレーム番号等のシステム共通情報の報知に用いられる論理チャネルであり、報知信号１に相当する。ＦＣＣＨはそのＭＡＣフレームの構成を示す情報を報知するための論理チャネルであり、報知信号２に相当する。
【０００４】
他方、IEEE 802.11標準には、無線基地局から無線端末に向けて周期的に送信されるビーコンのＴＩＭ（Traffic Indication Map）情報要素を用いたパワーマネージメント機能が定義されている（非特許文献２参照）。ＴＩＭは、６〜２５６オクテットの長さを有し、パワーマネージメントに関する各種情報を表す。無線端末の動作モードにはアクティブモードとパワーセーブモードがある。アクティブモードでは送受信回路に常時電源が供給され、他方、パワーセーブモードでは間欠的に供給される。無線基地局は、無線端末宛のデータを蓄積した場合、ＴＩＭ内のＰＶＢ（Partial Virtual Bitmap）に当該無線端末宛のデータが有ることを示すビットを設定して、そのＴＩＭを含むビーコンを送信する。無線端末は、ＴＩＭを解析することで、自端末宛のデータの蓄積の有無を判定する。
【先行技術文献】
【非特許文献】
【０００５】
【非特許文献１】広帯域移動アクセスシステム（HiSWANa）標準規格、ARIB STD-T70 2.0版、平成１４年１１月２７日２．０改定、社団法人  電波産業会
【非特許文献２】IEEE Std 802.11, "Wireless LAN Medium Access Control (MAC) and Physical(PHY) specifications", 1997. 7.3.2.6節「TIM」
【発明の概要】
【発明が解決しようとする課題】
【０００６】
しかしながら上述したHiSWANa標準規格によるアクセス方法では、どの無線端末を呼び出す場合でも、呼出待ち状態にある全ての無線端末が報知信号２を受信することとなる。これは、呼び出されていない無線端末も報知信号２を受信することとなり、報知信号２の受信における電力の消費によって無線端末内の電池の寿命が短くなるという問題がある。更に、この現象は１つの無線基地局当りの収容無線端末台数が増加するに従い顕著になり、無線基地局当り数万台を収容する様な超多次元接続無線アクセスシステムでは大きな問題となる。
【０００７】
また、IEEE 802.11標準によるアクセス方法では、呼出待ち状態にある各無線端末がビーコン内のＴＩＭ情報要素の解析処理を行うこととなる。これは、呼び出されていない無線端末もＴＩＭ情報要素を受信して解析することとなり、ＴＩＭ情報要素の受信及び解析における電力の消費によって無線端末内の電池の寿命が短くなるという問題がある。更に、この現象は１つの無線基地局当りの収容無線端末台数が増加するに従い顕著になる。
【０００８】
特に低トラヒック端末を収容する無線アクセスシステムでは、待受時（呼出待ち状態)の消費電力が端末の寿命を決定する。そのため、無線端末の長寿命化を図るには、待受時の受信時間の短縮が不可欠である。
【０００９】
本発明は、上記の事情を考慮してなされたものであり、上記の課題を解決し、無線端末の待受時における消費電力をより低減することができる無線端末呼出方法及び無線アクセスシステムを提供することを目的とする。
【課題を解決するための手段】
【００１０】
上記課題を解決するため、請求項１記載の発明は、複数の論理チャネルから構成される無線フレーム（ＭＡＣフレーム）を用いて、識別子である無線端末ＩＤを有する複数の無線端末と無線通信を行う無線基地局が、当該無線フレームに割り当てられた報知用論理チャネルを用いて当該無線端末を呼び出す無線端末呼出方法において、無線端末の呼出情報を含む報知信号１と、論理チャネルの割当位置の情報を含む報知信号２とを用いて、無線基地局と無線端末との間で無線通信を行う際に、呼び出し対象となる無線端末を示す無線端末ＩＤの全部又は一部の情報を前記報知信号１の呼出情報に含ませて当該無線端末を呼び出す第１の呼び出し方式を用いた場合に前記報知信号２を受信する第１の端末数を算出し、呼び出し対象となる無線端末の属する端末グループを示す情報を前記報知信号１の呼出情報に含ませて当該無線端末を呼び出す第２の呼び出し方式を用いた場合に前記報知信号２を受信する第２の端末数を算出し、前記第１又は第２の呼び出し方式について、前記第１の端末数と前記第２の端末数を比較して少ない端末数を示すいずれかの呼び出し方式を用いて前記無線端末を呼び出すことを特徴とする無線端末呼出方法である。
【００１１】
請求項２記載の発明は、前記第１の呼び出し方式によって、前記無線基地局において呼び出し対象となる無線端末を示す無線端末ＩＤの全部又は一部の情報を前記呼出情報が含む報知信号１を無線端末に対して前記無線フレームの報知用論理チャネルを用いて送信する手順と、前記無線基地局において前記報知信号２を無線端末に対して前記無線フレームの報知用論理チャネルを用いて送信する手順と、前記無線端末において前記報知信号１を受信する手順と、前記無線端末において前記報知信号１に自端末を示す無線端末ＩＤの全部又は一部の情報が含まれているか否かを判定し、含まれている場合に前記報知信号２を続けて受信する手順と、前記無線端末において前記受信した報知信号２に自端末宛の割当情報がない場合には、受信を中止し、前記受信した報知信号２に自端末宛の割当情報がある場合には、前記報知信号２に含まれる論理チャネルの割当位置の情報を基に、前記無線基地局から自端末宛に送信されるデータを受信する手順とが行われることを特徴とする。
【００１２】
請求項３記載の発明は、前記第２の呼び出し方式によって、前記無線基地局において呼び出し対象となる無線端末の属する端末グループを示す情報を前記呼出情報が含む報知信号１を無線端末に対して前記無線フレームの報知用論理チャネルを用いて送信する手順と、前記無線基地局において前記報知信号２を無線端末に対して前記無線フレームの報知用論理チャネルを用いて送信する手順と、前記無線端末において前記報知信号１を受信する手順と、前記無線端末において前記報知信号１に自端末が属する端末グループを示す情報が含まれているか否かを判定し、含まれている場合に前記報知信号２を続けて受信する手順と、前記無線端末において前記受信した報知信号２に自端末宛の割当情報がない場合には、受信を中止し、前記受信した報知信号２に自端末宛の割当情報がある場合には、前記報知信号２に含まれる論理チャネルの割当位置の情報を基に、前記無線基地局から自端末宛に送信されるデータを受信する手順とが行われることを特徴とする。
【００１３】
請求項４記載の発明は、前記報知信号１の呼出情報が、呼出端末情報の形式を示す種別情報と、呼び出し対象となる無線端末を示す無線端末ＩＤの全部若しくは一部の情報又は呼び出し対象となる無線端末の属する端末グループを示す情報を示す呼出端末情報とを含んで構成されていることを特徴とする。
【００１４】
請求項５記載の発明は、前記呼び出し対象となる無線端末を示す無線端末ＩＤの全部又は一部の情報が、前記無線端末ＩＤを２進数表示した場合の全部のビット又は一部のビットを１つで表した又は複数組み合わせたものであり、前記呼び出し対象となる無線端末の属する端末グループを示す情報が、前記呼出端末情報を構成する複数のビットの各ビットの位置によって呼び出し対象となる無線端末が属する端末グループを表すものであることを特徴とする。
【００１５】
請求項６記載の発明は、前記第１又は第２の呼び出し方式について、前記第１の端末数と前記第２の端末数を比較して少ない端末数を示すいずれかの呼び出し方式を用いて前記無線端末を呼び出す処理が、前記無線端末の呼出を行うたびに実施されることを特徴とする。
【００１６】
請求項７記載の発明は、複数の論理チャネルから構成される無線フレームを用いて、識別子である無線端末ＩＤを有する複数の無線端末と無線通信を行う無線基地局が、当該無線フレームに割り当てられた報知用論理チャネルを用いて当該無線端末を呼び出す無線アクセスシステムであって、前記無線基地局が、無線端末の呼出情報を含む報知信号１と、論理チャネルの割当位置の情報を含む報知信号２とを用いて、無線基地局と無線端末との間で無線通信を行う際に、呼び出し対象となる無線端末を示す無線端末ＩＤの全部又は一部の情報を前記報知信号１の呼出情報に含ませて当該無線端末を呼び出す第１の呼び出し方式を用いた場合に前記報知信号２を受信する第１の端末数を算出するとともに、呼び出し対象となる無線端末の属する端末グループを示す情報を前記報知信号１の呼出情報に含ませて当該無線端末を呼び出す第２の呼び出し方式を用いた場合に前記報知信号２を受信する第２の端末数を算出し、前記第１又は第２の呼び出し方式について、前記第１の端末数と前記第２の端末数を比較して少ない端末数を示すいずれかの呼び出し方式を選択する報知信号生成部と、前記報知信号生成部で選択された呼び出し方式を用いて前記無線端末を呼び出す送受信部とを備えることを特徴とする無線アクセスシステムである。
【００１７】
請求項８記載の発明は、前記送受信部が、前記第１の呼び出し方式によって、呼び出し対象となる無線端末を示す無線端末ＩＤの全部又は一部の情報を前記呼出情報が含む報知信号１を無線端末に対して前記無線フレームの報知用論理チャネルを用いて送信するとともに、前記報知信号２を無線端末に対して前記無線フレームの報知用論理チャネルを用いて送信し、 前記無線端末が、前記報知信号１を受信して、前記報知信号１に自端末を示す無線端末ＩＤの全部又は一部の情報が含まれているか否かを判定する報知信号１判定部と、前記報知信号１判定部で含まれていると判定された場合に前記報知信号２を続けて受信する報知信号２受信部と、前記受信した報知信号２に自端末宛の割当情報がない場合には、受信を中止し、前記受信した報知信号２に自端末宛の割当情報がある場合には、前記報知信号２に含まれる論理チャネルの割当位置の情報を基に、前記無線基地局から自端末宛に送信されるデータを受信するデータ受信部とを備えることを特徴とする。
【００１８】
請求項９記載の発明は、前記送受信部が、前記第２の呼び出し方式によって、呼び出し対象となる無線端末の属する端末グループを示す情報を前記呼出情報が含む報知信号１を無線端末に対して前記無線フレームの報知用論理チャネルを用いて送信するとともに、前記報知信号２を無線端末に対して前記無線フレームの報知用論理チャネルを用いて送信し、前記無線端末が、前記報知信号１を受信して、前記報知信号１に自端末が属する端末グループを示す情報が含まれているか否かを判定する報知信号１判定部と、前記報知信号１判定部で含まれていると判定された場合に前記報知信号２を続けて受信する報知信号２受信部と、前記受信した報知信号２に自端末宛の割当情報がない場合には、受信を中止し、前記受信した報知信号２に自端末宛の割当情報がある場合には、前記報知信号２に含まれる論理チャネルの割当位置の情報を基に、前記無線基地局から自端末宛に送信されるデータを受信するデータ受信部とを備えることを特徴とする。
【発明の効果】
【００１９】
以上のように、本発明によれば、第１又は第２の呼び出し方式について、各呼び出し方式によって呼び出される第１の端末数と第２の端末数を比較して少ない端末数を示すいずれかの呼び出し方式を用いて無線端末を呼び出すようにしたので、待受時(呼出待ち状態)において不要な呼び出しが行われる無線端末の台数を少なくすることができ、無線端末の待受時における消費電力をより低減することができる。
【００２０】
また、第１の呼び出し方式によって、無線基地局において呼び出し対象となる無線端末を示す無線端末ＩＤの全部又は一部の情報を含む報知信号１を無線端末に対して無線フレームの報知用論理チャネルを用いて送信し、無線端末において報知信号１に自端末の無線端末ＩＤの全部又は一部の情報が含まれているか否かを判定し、含まれている場合に報知信号２を続けて受信することで、呼び出される無線端末数が比較的少ない場合に報知信号２を受信する無線端末を限定することができる。
【００２１】
また、第２の呼び出し方式によって、無線基地局において呼び出し対象となる無線端末の属する端末グループを示す情報を含む報知信号１を無線端末に対して無線フレームの報知用論理チャネルを用いて送信し、無線端末において報知信号１に自端末が属する端末グループを示す情報が含まれているか否かを判定し、含まれている場合に報知信号２を続けて受信することで、呼び出される無線端末が比較的多い場合に報知信号２を受信する無線端末を限定することができる。
【図面の簡単な説明】
【００２２】
【図１】本発明の実施形態の無線アクセスシステムの構成例を示す図である。
【図２】図１の無線基地局１１及び無線端末２１の構成例を示す図である。
【図３】本実施形態におけるＭＡＣフレームの構成例を示す図である。
【図４】本実施形態の無線アクセスシステムにおいて無線端末２１がデータを受信する際のシーケンスを示す図である。
【図５】本実施形態において無線端末２１でＢＣＣＨ間欠受信を行う場合のフレーム構成例を示す図である。
【図６】本実施形態における無線端末２１でのＢＣＣＨ間欠受信の例を示す図である。
【図７】本実施形態の無線基地局１１から無線端末２１へのデータ送信の例を示す図である。
【図８】本実施形態において無線基地局１１からＢＣＣＨで送信される呼出情報のフォーマットの例を示す図である。
【図９】本実施形態における呼出情報の情報パターン例を示す図である。
【図１０】本実施形態の無線基地局１１で呼出端末情報４２の形式を決定する手順を示すフローチャートである。
【図１１】本実施形態で呼出端末数＝４台でかつ種別情報４１＝「００１１」を用いる例を説明するための図である。
【図１２】呼出端末情報４２ａに無線端末ＩＤ情報を用いる場合の一例を説明するための図である。
【図１３】呼出端末情報４２ｂにグループＩＤ情報を用いる場合の一例を説明するための図である。
【発明を実施するための形態】
【００２３】
以下、図面を参照して本発明の実施の形態について説明する。本発明の実施形態の１つである無線アクセスシステムを図１に示す。図１中の無線アクセスシステムは、有線ネットワーク１０に接続された１つの無線基地局１１と、その無線基地局１１を経由して有線ネットワーク１０に接続する複数の無線端末２１から構成される。無線基地局１１と無線端末２１の間の無線を介した通信ではＴＤＭＡ／ＴＤＤ（Time Division Multiple Access/Time Division Duplex）を用いたアクセス方式が用いられる。また、各無線端末２１は、無線基地局１１から１又は複数の無線端末２１を単位とするＭＡＣフレーム番号に対応して設定されたグループ毎に呼び出しが行われる。すなわち、本実施形態では、同一グループに設定された複数の無線端末２１は、同一のタイミングで呼び出しが行われる。
【００２４】
図１において、無線基地局１１はＣＰＵ（Central Processing Unit）、ＲＯＭ(Read Only Memory)、フラッシュメモリ、ＲＡＭ（Random Access Memory）等とＣＰＵによって制御される無線信号の送受信回路、有線信号の送受信回路、電源回路等の各種回路を含んでいる。無線基地局１１は、ＲＯＭやフラッシュメモリに格納されているプログラムをＣＰＵによって実行することで各部を制御する。無線端末２１はＣＰＵ、ＲＯＭ、ＥＥＰＲＯＭ（Erasable Programmable ROM）、ＲＡＭ等とＣＰＵによって制御される無線信号の送受信回路、電源回路等の各種回路を含んでいる。無線端末２１は、ＲＯＭやＥＥＰＲＯＭに格納されているプログラムをＣＰＵによって実行することで各部を制御する。
【００２５】
図２は、図１に示す無線アクセスシステムにおける無線基地局１１及び無線端末２１の構成例を示す図であり、本発明に直接関係する構成部分のみを示したものである。また、以下の本実施形態の説明では、各無線端末２１の識別子として用いられるＩＤ（識別符号）を「無線端末ＩＤ」と呼ぶこととする。また、各無線端末２１は、１又は複数の無線端末２１が属するグループに分けられており、このグループを識別するＩＤを「グループＩＤ」と呼ぶこととする。本実施形態では、第１の呼び出し方式を用いた場合に「無線端末ＩＤ」を２進数表示した場合の全ビット又は下位数ビット（つまり一部のビット）を用いて１又は複数の無線端末２１を呼び出す処理が行われる。この「無線端末ＩＤ」を２進数表示した場合に呼び出し処理で用いられる一部のビット又は全部のビットを「無線端末ＩＤ抽出情報」と呼ぶこととする。さらに、１つ又は複数の無線端末２１を呼び出す処理では、この「無線端末ＩＤ抽出情報」を１つで表した又は複数組み合わせた情報が用いられる。この「無線端末ＩＤ抽出情報」を１又は複数組み合わせた情報を「無線端末ＩＤ情報」と呼ぶこととする。また、第２の呼び出し方式を用いた場合に「グループＩＤ」をビットマップで表示した情報を用いて１又は複数台の無線端末２１を呼び出す処理が行われる。この「グループＩＤ」をビットマップで表示した情報を「グループＩＤ情報」と呼ぶこととする。
【００２６】
図２において、無線基地局１１は、制御部１２、報知信号生成部１３、ＭＡＣフレーム生成部１４、送受信部１５及びデータベース１６から構成されている。制御部１２は、報知信号生成部１３、ＭＡＣフレーム生成部１４、送受信部１５、データベース１６等の各部を制御する。報知信号生成部１３は、上述の報知信号１及び報知信号２を生成するための処理部であり、この報知信号１には無線端末２１の呼出情報として、「種別情報」と「呼出端末情報」とが含まれている。この「呼出端末情報」には、「無線端末ＩＤ情報」又は「グループＩＤ情報」が含まれる。この報知信号生成部１３は、呼出情報に「種別情報」と「無線端末ＩＤ情報」とを含ませる第１の呼び出し方式を用いた場合に呼び出し対象となる無線端末２１に対する論理チャネルの割当位置の情報を含む報知信号２を受信する端末数Ａを算出する。報知信号生成部１３は、また、この第１の呼び出し方式と異なり、呼出情報に「種別情報」と「グループＩＤ情報」を含ませる第２の呼び出し方式を用いた場合に呼び出し対象となる無線端末２１に対する論理チャネルの割当位置の情報を含む報知信号２を受信する端末数Ｂを算出する。そして、報知信号生成部１３は、これら第１又は第２の呼び出し方式について算出した端末数Ａと端末数Ｂを比較して少ない端末数を示すいずれかの呼び出し方式を用いて無線端末２１を呼び出すための報知信号１を生成する。また、報知信号２には、無線端末２１へデータを送信するための論理チャネルの割当情報などが含まれる。
【００２７】
ＭＡＣフレーム（無線フレーム）生成部１４は、報知信号生成部１３で生成された報知信号１、報知信号１に後続する報知信号２、送信データ等を含むＭＡＣフレームを生成するための処理部である。また、送受信部１５は、ＭＡＣフレーム生成部１４で生成されたＭＡＣフレームを用いて無線端末２１との間で無線通信を行う。この送受信部１５は、報知信号生成部１３で前記第１の呼び出し方式が選択された場合、ＭＡＣフレーム生成部１４で生成されたＭＡＣフレームを用いて、呼び出し対象となる無線端末ＩＤの全部又は一部の情報を呼出端末情報として含む報知信号１を無線端末２１に対して報知用論理チャネルを用いて送信することで、当該無線端末を呼び出すとともに、続いて、報知信号２を無線端末２１に対して無線フレームの報知用論理チャネルを用いて送信する。送受信部１５は、また、報知信号生成部１３で前記第２の呼び出し方式が選択された場合、ＭＡＣフレーム生成部１４で生成されたＭＡＣフレームを用いて、呼び出し対象となる無線端末２１の属する端末グループを表す情報を呼出端末情報として含む報知信号１を無線端末２１に対して無線フレームの報知用論理チャネルを用いて送信し、続いて、報知信号２を無線端末２１に対して無線フレームの報知用論理チャネルを用いて送信する。また、データベース１６には、無線端末２１の無線端末ＩＤ等が記憶されている。なお、報知信号１、報知信号２、ＭＡＣフレーム等の詳細な構成については後述される。
【００２８】
また、無線端末２１は、制御部２２、送受信部２３、報知信号１判定部２４、報知信号２受信部２５及びデータ受信部２６から構成されている。制御部２２は、送受信部２３、報知信号１判定部２４、報知信号２受信部２５、データ送受信部２６等の各部を制御する。報知信号１判定部２４は、無線基地局１１から受信した報知信号１を基に、報知信号２を更に受信するかどうかを判定する処理を行う。この報知信号１判定部２４は、報知信号１に自端末の無線端末ＩＤの全部又は一部の情報が含まれているか否かを判定し、含まれている場合には報知信号２を受信すると判定する。報知信号１判定部２４は、また、報知信号１に自端末が属する端末グループを表す情報が含まれているか否かを判定し、含まれている場合には報知信号２を受信すると判定する。報知信号２受信部は、報知信号１判定部により報知信号２を受信すると判定された場合に、報知信号２を受信する処理を行う。そして、データ受信部２６は、報知信号２受信部によって受信された報知信号２に自端末宛の割当情報がない場合には、受信を中止し、受信された報知信号２に自端末宛の割当情報がある場合には、報知信号２に含まれる論理チャネルの割当位置の情報を基に、無線基地局１１から自端末宛に送信されるデータを受信する。また、送受信部２３は、無線基地局１１との間で無線通信を行う。
【００２９】
なお、図２に示す無線基地局１１及び無線端末２１における各部の構成は、この図に示すものに限られず、例えば各部を統合したり、あるいは各部をさらに分割したりすることが可能である。
【００３０】
本無線アクセスシステムで用いるＭＡＣフレームの構成例を図３に示す。ＭＡＣフレームの長さは固定長であり、ＭＡＣフレーム前半が無線基地局１１から無線端末２１へ向かう下りリンクであり、後半が無線端末２１から無線基地局１１へ向かう上りリンクである。下りリンクは報知情報を送信するブロードキャスト領域とユニキャスト・データを送信するデマンドアサイン領域から構成されている。このブロードキャスト領域ではＢＣＣＨ（Broadcast Control Channel）、ＦＣＣＨ（Frame Control Channel）、ＲＦＣＨ（Random access Feedback Channel）が、デマンドアサイン領域では、ＵＤＣＨ（User Data Channel）、ＬＣＣＨ（Link Control Channel）が送信される。なお、ＢＣＣＨとＦＣＣＨは、無線フレームの報知用論理チャネルとして機能する。
【００３１】
ＢＣＣＨは、無線基地局の識別子である無線基地局ＩＤ、ＭＡＣフレームのフレーム番号を示すＭＡＣフレーム番号等のシステム共通情報の報知に用いられる論理チャネルであり、前出の報知信号１に相当する。ＦＣＣＨはそのＭＡＣフレームの構成を示す情報を報知するための論理チャネルであり、前出の報知信号２に相当する。このＦＣＣＨには、呼び出し対象の無線端末２１に対する論理チャネルの割当位置の情報が含まれている。ＲＦＣＨは、ＭＡＣフレームにおけるランダムアクセスの成否及び無線端末で用いられるランダムアクセスパラメータ、ＲＡ（Random Access）情報を報知するための論理チャネルである。ＵＤＣＨはユーザデータを送信するための論理チャネルであり、ＬＣＣＨは制御用情報を送受信するための論理チャネルである。ＲＡＣＨはランダムアクセスに用いられる論理チャネルである。
【００３２】
無線端末２１におけるデータ受信シーケンスを図４に示す。無線端末２１がデータを受信する場合、まず初めにＢＣＣＨを受信する。なお、この場合のＢＣＣＨには、無線端末２１が受信対象の無線端末であることを示す所定の呼出情報が含まれているものとする。この呼出情報の詳細については後述する。ＢＣＣＨには、また、ＦＣＣＨの長さ情報が含まれており、無線端末２１はこれを基に引き続き送信されて来るＦＣＣＨを受信する。ＦＣＣＨにはユーザデータを送信するためのＵＤＣＨの送信開始位置と長さが含まれており、無線端末２１は、ＦＣＣＨを受信することで、自分宛のＵＤＣＨの位置を知り、その位置においてＵＤＣＨを受信する。
【００３３】
このような無線アクセスシステムにおいて、無線基地局１１から無線端末２１へ間欠的にデータを送信する場合で、かつ、トラヒックが低い場合(無線端末２１におけるデータの到着間隔が非常に長い場合)、無線端末２１における待受時の消費電力を低減するために、無線端末２１ではＢＣＣＨの間欠受信を行う。無線端末２１がＢＣＣＨ間欠受信状態にある場合、無線端末２１は毎ＭＡＣフレーム、ＢＣＣＨを受信するのではなく、予め定められたフレーム周期でＢＣＣＨを受信し、その他のフレームにおいてはＢＣＣＨを受信せず、消費電力を節約する。ＢＣＣＨ間欠受信を実施するためのフレーム構成を図５に、ＢＣＣＨ間欠受信を行う場合の受信例を図６に示す。
【００３４】
図５に示すＢＣＣＨ間欠受信を行う場合のフレーム構成では、Ｎ個のＭＡＣフレームをまとめてスーパーフレームを構成し、１つのスーパーフレームに含まれるＮ個のＭＡＣフレームには先頭から順番にＭＡＣフレーム番号（＃０、＃１、…、＃Ｎ−１）が割り当てられる。なお図５の各ＭＡＣフレームの構成は、図３に示したものと同一である。
【００３５】
図６に示すように、ＢＣＣＨ間欠受信を行う無線端末２１（図６では端末１〜９として示す。）は、受信待ち状態においてｍ番目のＭＡＣフレームで         のみＢＣＣＨの受信を実施する。なお、このｍは無線基地局１１と無線端末２１の間で予め決められる。図６の例では、端末１、２、３は０番目のＭＡＣフレームにおいてのみＢＣＣＨを受信し、その他のＭＡＣフレームではＢＣＣＨを受信しない。また、端末４、５は１番目のＭＡＣフレームにおいてのみＢＣＣＨを受信し、その他のＭＡＣフレームではＢＣＣＨを受信しない。また、端末６、７、８、９は２番目のＭＡＣフレームにおいてのみＢＣＣＨを受信し、その他のＭＡＣフレームではＢＣＣＨを受信しない。
【００３６】
なお、この場合、端末１、２、３はグループ１に、端末４、５はグループ２に、端末６、７、８、９はグループ３に属するものとしている。ここで、図６に示すグループ１、２、３は、無線基地局１１から同一のＭＡＣフレーム番号を持つＭＡＣフレームで送信された同一のＢＣＣＨを用いて同時に呼び出しが行われる１又は複数の無線端末２１を意味する。
【００３７】
図７に、ある特定の無線端末２１（グループ１の端末１とする。）にデータを送信する場合の例を示す。受信待ち状態において０番目のＭＡＣフレームにおけるＢＣＣＨを受信している端末１に対しデータを送信する場合、スーパーフレーム中の０番目のＭＡＣフレームにおいてデータを送信する。このＭＡＣフレームのＢＣＣＨ中には、無線端末２１の呼出情報として、「種別情報」と「呼出端末情報」とが含まれている。図７の例では、無線基地局１１において端末１への送信データがない場合（呼出なしの場合）、スーパーフレーム＃１で０番目のＭＡＣフレームのＢＣＣＨに含まれる「種別情報」が送信データのないことを示す情報となり、グループ１の端末１を含む各端末は、０番目のＭＡＣフレームではＢＣＣＨを受信するのみであり、ＦＣＣＨを受信しない。
【００３８】
一方、端末１への送信データがある場合（呼出ありの場合）、無線基地局１１はスーパーフレーム＃２の０番目のＭＡＣフレームのＢＣＣＨにおいて、端末１に対して（あるいはグループ１に属する端末１を含む限定された台数の複数の無線端末２１に対して）このＭＡＣフレームにおいて送信データが存在することを通知する。この通知は、ＢＣＣＨに呼出情報として含まれる「種別情報」と「呼出端末情報」とを用いて実施される。無線端末２１は、ＢＣＣＨを受信した場合、呼出情報の「種別情報」と「呼出端末情報」の内容に基づいて自端末が呼び出されているか否か、すなわちこのＢＣＣＨに続いて送信されるＦＣＣＨを受信するよう通知がなされているか否かを判定する。そして、呼び出されていると判定した無線端末２１のみが（図７では端末１のみが）、後続するＦＣＣＨを受信する。ただし、後述するように条件によってはグループ１の端末１以外の限定された台数のその他の端末も図７で破線の矩形で示すように後続するＦＣＣＨを受信する。ＦＣＣＨにおいて自端末宛の割当を確認した無線端末２１（図７中では端末１）はＵＤＣＨの受信を実施し、データを受け取る。呼出情報で自端末が呼び出されていない無線端末２１は（図７では他の端末は）、後続するＦＣＣＨの受信も、その後のＵＤＣＨの受信も実施しない。
【００３９】
本実施形態において、ＢＣＣＨにおいて送信する呼出情報のフォーマットの例を図８に示す。図８の呼出情報３１は４ビットの種別情報４１と３２ビットの呼出端末情報４２の２つから構成される。種別情報４１が、それに続く呼出端末情報４２のフォーマット（すなわち形式）を示す。呼出端末情報４２は無線端末ＩＤ情報あるいはグループＩＤ情報のいずれかを含んでいる。この呼出端末情報４２に含まれる一方の情報である無線端末ＩＤ情報は、各無線端末２１の無線端末ＩＤの全てのビット又は所定の限定された個数のビット（つまり一部のビット）からなる無線端末ＩＤ抽出情報を１又は複数保持している。なお、本実施形態において、無線基地局１１から送信されるＢＣＣＨは無線端末２１におけるフレーム同期性能向上のため固定長であり、従って、それに含まれる呼出情報３１も固定長となる。
【００４０】
呼出端末情報４２に含まれる他方の情報であるグループＩＤ情報は、１又は複数の無線端末２１に割り当てられた各端末グループを識別するグループＩＤの情報を保持している。この端末グループは、図６や図７を参照して説明したグループ１、２、３とは異なる種類のグループである。図６や図７を参照して説明したグループ１、２、３は、スーパーフレームを構成する１６個のＭＡＣフレーム＃０〜＃Ｎ−１のいずれかのＭＡＣフレームに対応する集合であり、本実施形態では１６個のグループが設定されることになる。一方、端末グループは、１又は複数の無線端末２１が属する集合であり、１６個のＭＡＣフレーム＃０〜＃Ｎ−１へのグループ分けに関わらず、グループ分けが可能となっている。すなわち、図６の例では、グループ１の端末１とグループ２の端末４を同一端末グループに属させたり、グループ１の端末１とグループ１の端末２を同一端末グループに属させたりすることが可能である。ただし、端末グループと、１６個のＭＡＣフレーム＃０〜＃Ｎ−１に対応するグループとの間で、グループ分けを対応させて行い、できるだけ分散してグループ分けがなされるように（すなわち両グループが同一となる無線端末２１の最大の個数が小さくなるように）、グループ分けを行うようにすることが望ましい。この端末グループとして、本実施形態では一例として３２個のグループを設定することとする。各端末グループには、グループＩＤが付与される。また、各無線端末２１が属する端末グループを示す属性情報は、無線基地局１１及び無線端末２１の所定の記憶装置に格納・更新され、管理される。なお、図８の呼出端末情報４２がグループＩＤ情報を含む場合には、呼出端末情報４２を構成する３２ビットの各ビットの位置が、無線基地局１１において呼び出し対象となる無線端末２１が属する端末グループを表す情報となる。
【００４１】
なお、本実施形態では１つの無線基地局１１あたり最大６５５３６台の無線端末２１が識別可能となるように、各無線端末２１にユニークに割り当てられる無線端末ＩＤのフィールド長を１６ビットとしている。また、１つのスーパーフレームは１６個のＭＡＣフレームにより構成され、各ＭＡＣフレームでＢＣＣＨを受信する無線端末２１の個数は同じであるとする。つまり、あるＭＡＣフレームにおいてＢＣＣＨを受信する無線端末数は最大でも４０９６台（＝６５５３６／１６）である。
【００４２】
呼出情報３１の情報パターンを図９に示す。種別情報４１及び呼出端末情報４２の長さは図８に示す通りである。呼出情報３１内の種別情報４１は、呼出端末情報４２の情報パターン（つまり形式）の識別に用いられる。すなわち、種別情報４１により、呼出端末情報４２が無線端末ＩＤ情報であるか、グループＩＤ情報であるかを知ることができる。図９に示す例では、種別情報４１の値が「１００１」（２進数表示。以下同様。）の場合、呼出端末情報４２がグループＩＤ情報となり、「００００」〜「１０００」の場合、呼出端末情報４２が無線端末ＩＤ情報となる。グループＩＤ情報は、呼び出し対象の端末グループのグループＩＤを表す情報を含んで構成されている。無線端末ＩＤ情報は、呼び出し対象の１又は複数の無線端末２１に対応する無線端末ＩＤ抽出情報（図９ではＩＤ０〜７として示す。）を含んで構成されている。上述したように無線端末ＩＤ抽出情報は、無線端末ＩＤの全ビット又は一部のビットを含んで構成される。
【００４３】
呼出端末情報４２がグループＩＤ情報となる場合、３２ビットの各ビットの値（０／１）が各端末グループのグループＩＤに対応する呼び出しの有無を表す情報となる。すなわち、呼出端末情報４２がグループＩＤ情報となる場合、呼出情報３１として送信される情報は、端末グループを示すビットマップである。本実施形態において、全ての無線端末２１は複数の端末グループのいずれかに属するようにグループ分けされている。本実施形態では、上述したように、端末グループ毎にその端末グループを表すグループＩＤが与えられている。無線基地局１１が無線端末２１を呼び出す場合、呼び出す無線端末２１の属する端末グループを示すビットマップ上のビットを「１」とした呼出情報３１がＢＣＣＨにより送信される。グループＩＤ＝ｎの端末グループに属する無線端末２１を呼び出す場合、送信する呼出端末情報４２のビットマップでは、右からｎビット目のビットが「１」となる。呼出待ち状態にある無線端末２１はシステム情報を同報するＢＣＣＨを周期的に受信する。ＢＣＣＨを受信した無線端末２１は、呼出情報３１の呼出端末情報４２において自身の属する端末グループを示すビットを確認し、そのビットに「１」が設定されている場合、呼び出された可能性があることを認識し、ＦＣＣＨを受信する。ＦＣＣＨでは、各無線端末２１宛てのバースト割当情報が通知されている。ＦＣＣＨを受信した無線端末２１は、その中のバースト割当情報をチェックし、自分宛ての割当があった場合、呼出待ち状態から通信状態へ遷移し、通信を行う。割当がなかった場合、呼出待ち状態を継続する。
【００４４】
一方、呼出端末情報４２が無線端末ＩＤ情報となる場合、呼出端末情報４２に含まれる無線端末ＩＤ情報の内容は、無線基地局１１から呼び出しを行う無線端末２１の数によって変化する。無線基地局１１がある無線端末２１を呼び出す場合、その無線端末２１にユニークに付与された無線端末ＩＤを表すビットパターンの全て、又は、一部からなる無線端末ＩＤ抽出情報を１つで表す又は複数組み合わせることで生成された無線端末ＩＤ情報を表す呼出端末情報４２を含む呼出情報３１が、ＢＣＣＨによって送信される。複数の無線端末２１を呼び出す場合、呼び出す端末数に応じて呼出端末情報４２で送信する無線端末ＩＤ抽出情報のビットパターンのビット数を変更し、呼出端末情報４２が固定長となるよう調節する。つまり、呼び出す無線端末２１の数が多い場合、無線端末ＩＤ抽出情報当りのビットパターンビット数を少なくし、逆に、呼び出す端末数が少ない場合、無線端末ＩＤ抽出情報当りのビットパターンのビット数を多くする。一方、呼出待ち状態にある無線端末２１は、ＢＣＣＨを受信し、その中に含まれる呼出情報３１を確認し、呼出情報３１内の呼出端末情報４２に含まれる無線端末ＩＤ抽出情報のビットパターンがその無線端末２１の無線端末ＩＤのビットパターンの全て又は一部と一致する場合、呼び出された可能性があることを認識し、ＦＣＣＨを受信する。ＦＣＣＨでは、各無線端末２１宛てのバースト割当情報が通知されている。ＦＣＣＨを受信した無線端末２１は、その中のバースト割当情報をチェックし、自分宛ての割当があった場合、呼出待ち状態から通信状態へ遷移し、通信を行う。割当がなかった場合、呼出待ち状態を継続する。
【００４５】
呼出端末情報４２として無線端末ＩＤ情報を用いる場合、種別情報４１は、無線端末ＩＤ情報に含まれる無線端末ＩＤ抽出情報の個数も示している。すなわち、図９の例では、無線基地局１１から呼び出しを行う無線端末２１に対応する無線端末ＩＤ抽出情報の個数０〜８に対して、種別情報を「００００」〜「１０００」が設定されている。
【００４６】
図９に示す例では、無線基地局１１から呼び出しを行う無線端末２１の数が０台の場合、種別情報４１を「００００」とした呼出情報３１が用いられる。この場合、呼出端末情報４２は意味を有しない。無線端末２１の数が１台の場合、種別情報４１を「０００１」とし、呼出端末情報４２に１個の１６ビットの無線端末ＩＤ抽出情報（ＩＤ０として示す。）を含む呼出情報３１が用いられる。この場合、ＩＤ０は、呼び出しを行う無線端末２１の無線端末ＩＤの全１６ビットを含んでいる。無線端末２１の数が２台の場合、種別情報４１を「００１０」とし、呼出端末情報４２に２個の１６ビットの無線端末ＩＤ抽出情報（ＩＤ０、ＩＤ１として示す。）を含む呼出情報３１が用いられる。この場合、ＩＤ０、ＩＤ１は、呼び出しを行う無線端末２１の無線端末ＩＤの全１６ビットをそれぞれ含んでいる。
【００４７】
無線端末２１の数が３台の場合、種別情報４１を「００１１」とし、呼出端末情報４２に３個の１０ビットの無線端末ＩＤ抽出情報（ＩＤ０、ＩＤ１、ＩＤ２として示す。）を含む呼出情報３１が用いられる。この場合、ＩＤ０、ＩＤ１、ＩＤ２は、呼び出しを行う無線端末２１の無線端末ＩＤの下位１０ビットをそれぞれ含んでいる。無線端末２１の数が４台の場合、種別情報４１を「０１００」とし、呼出端末情報４２に４個の８ビットの無線端末ＩＤ抽出情報（ＩＤ０、ＩＤ１、ＩＤ２、ＩＤ３として示す。）を含む呼出情報３１が用いられる。この場合、ＩＤ０、ＩＤ１、ＩＤ２、ＩＤ３は、呼び出しを行う無線端末２１の無線端末ＩＤの下位８ビットをそれぞれ含んでいる。無線端末２１の数が５台の場合、種別情報４１を「０１０１」とし、呼出端末情報４２に５個の６ビットの無線端末ＩＤ抽出情報（ＩＤ０〜ＩＤ４として示す。）を含む呼出情報３１が用いられる。この場合、ＩＤ０〜ＩＤ４は、呼び出しを行う無線端末２１の無線端末ＩＤの下位６ビットをそれぞれ含んでいる。無線端末２１の数が６台の場合、種別情報４１を「０１１０」とし、呼出端末情報４２に６個の５ビットの無線端末ＩＤ抽出情報（ＩＤ０〜ＩＤ５として示す。）を含む呼出情報３１が用いられる。この場合、ＩＤ０〜ＩＤ５は、呼び出しを行う無線端末２１の無線端末ＩＤの下位５ビットをそれぞれ含んでいる。無線端末２１の数が７台又は８台の場合、種別情報４１を「０１１１」又は「１０００」とし、呼出端末情報４２に７個又は８個の４ビットの無線端末ＩＤ抽出情報（ＩＤ０〜ＩＤ６又はＩＤ０〜ＩＤ７として示す。）を含む呼出情報３１が用いられる。この場合、ＩＤ０〜ＩＤ７は、呼び出しを行う無線端末２１の無線端末ＩＤの下位４ビットをそれぞれ含んでいる。
【００４８】
ここで、図１２又は図１３を参照して、図８の呼出情報３１の設定について具体例を示して説明する。図１２は、図８の呼出情報３１内の呼出端末情報４２に無線端末ＩＤ情報を設定する場合の具体例を示し、図１３は、図８の呼出情報３１内の呼出端末情報４２にグループＩＤ情報を設定する場合の具体例を示している。ただし、図１２又は図１３に示す呼出端末情報４２ａ又は４２ｂは、３２ビットではなく、簡単化して１６ビットの情報として構成されている。
【００４９】
図１２に示す例は、無線基地局１１から呼出待ち状態にある４台の無線端末２１（端末１、２、３、４）がＢＣＣＨを同時に受信する場合の呼出端末情報４２ａの設定例を示している。また、端末１、２、３、４の無線端末ＩＤはそれぞれ、１２５、４６８、１０２９、３０００であるとしている。また、この場合、１６ビットの呼出端末情報４２ａは、各無線端末ＩＤの下位４ビットからなる無線端末ＩＤ抽出情報を４個含んで構成されている。
【００５０】
図１２の例では、呼び出す無線端末数が４台であり、呼出端末情報４２ａの長さが１６ビットであるから、各無線端末２１当り４ビットを使用することが可能である。各無線端末２１の無線端末ＩＤ下位４ビットを２進数表示すると、それぞれ、「１１０１」、「０１００」、「０１０１」、「１０００」である。したがって、呼出端末情報４２ａはそれら４個の４ビットの値を順に並べた１６ビット「１１０１０１０００１０１１０００」となる。呼出待ち状態にある無線端末２１は呼出端末情報４２ａを含む呼出情報３１をＢＣＣＨによって受信し、その中に含まれる呼出端末情報４２ａを確認する。呼出端末情報４２ａ中に含まれる無線端末ＩＤ抽出情報のビットパターン（４ビット長）が自端末の無線端末ＩＤの下位４ビットのパターンと一致する場合、その無線端末２１は呼び出された可能性があることを認識し、ＦＣＣＨを受信する。
【００５１】
他方、図１３に示す例では、呼出端末情報４２ｂとして１６ビットを用いている。このシステムにおいて、４台の無線端末２１を呼び出す例を示しており、呼び出す無線端末２１の属する端末グループのグループＩＤはそれぞれ１３、４、５、０としている。この場合、１３ビット目、４ビット目、５ビット目、０ビット目が「１」である（かつ他のビットは「０」である）呼出端末情報４２ｂが送信される。
【００５２】
上述したように呼出端末情報４２に無線端末ＩＤ情報を設定する場合には、無線基地局１１が、ある無線端末２１を呼び出すとき、その無線端末２１の無線端末ＩＤを表すビットパターンの全て又は一部（例：下位ｎビット）を含む呼出端末情報４２をＢＣＣＨにより送信することになる。呼出待ち状態にある無線端末２１はこのＢＣＣＨを受信し、その呼出情報３１中に含まれる無線端末ＩＤを表す無線端末ＩＤ抽出情報のビットパターンが自端末を示す無線端末ＩＤのビットパターンの全て又は一部と一致する場合、呼び出された可能性があることを認識し、ＦＣＣＨを受信する。呼出情報３１は固定長であるため、呼び出す無線端末２１の数（厳密には呼出端末の下位ｎビットのパターンの数）が多くなると、呼び出す無線端末１台あたりに割り当てることができるビット数が少なくなる。その結果、無線基地局１１が送信した呼出情報３１の無線端末ＩＤ抽出情報のビットパターンと一致する無線端末ＩＤのビットパターンを持つ無線端末２１が増えることになる。そのため、呼出待ち状態にあるが、呼出対象ではない、多くの無線端末２１がＦＣＣＨを受信することになってしまう。例えば、ある無線端末ＩＤの下位４ビットのパターンと一致する無線端末ＩＤの下位４ビットのパターンを持つ無線端末２１の数は、ある無線端末ＩＤの下位５ビットのパターンと一致する無線端末ＩＤの下位５ビットのパターンを持つ無線端末２１の数の２倍となることが期待される。このことは、呼び出されていない無線端末２１がＦＣＣＨを受信する機会を増大させることになり、結果として呼出待ち状態での受信における消費電力の増大を招き、端末寿命が短くなるという課題を生じることになる。
【００５３】
一方、呼出端末情報４２にグループＩＤ情報を設定する場合には、呼出を端末グループ単位で行うため、１台や２台といった少ない数の無線端末２１を呼び出すときでも、呼び出される無線端末２１と同じ端末グループに属する複数の無線端末２１がＦＣＣＨを受信する場合が発生する可能性がある。このことは、呼び出されていない無線端末２１がＦＣＣＨを受信する機会を増大させることになり、結果として呼出待ち状態での受信における消費電力の増大を招き、端末寿命が短くなるという課題を生じることになる。
【００５４】
すなわち、呼出端末情報４２に無線端末ＩＤ情報を設定する場合には、呼出端末の数（厳密には呼出端末の下位ｎビットのパターンの数）が多い場合、呼び出す無線端末１台あたりに割り当てることができるビット数が少なくなるため、ＦＣＣＨを受信する無線端末２１の数が増え、呼び出す無線端末２１の数に対するＦＣＣＨを受信する無線端末２１の数の逆数で示される呼出効率が低下する。一方、呼出端末情報４２にグループＩＤ情報を設定する場合には、少ない数の無線端末２１を呼び出す場合、呼び出される無線端末２１と同じ端末グループに属する複数の無線端末２１がＦＣＣＨを受信することになり、呼出効率が低下する。
【００５５】
そこで、本実施形態では、呼出端末情報４２の形式を決定する際に、下記の処理を無線基地局１１において実施することにより、無線端末２１におけるＦＣＣＨの受信頻度を低減し、無線端末２１の低消費電力化を図ることとしている。なお、この処理は呼出を行うたびに実施することが望ましい。また、下記（１）と（２）の順序は入れ替えてもよい。
【００５６】
（１）呼出端末情報４２に無線端末ＩＤ情報を設定する方式を用いて呼び出した場合のＦＣＣＨを受信することとなる無線端末数を算出する。
（２）呼出端末情報４２にグループＩＤ情報を設定する方式を用いて呼び出した場合にＦＣＣＨを受信することとなる無線端末数を算出する。
（３）ＦＣＣＨを受信することとなる無線端末数の少ない方式を選択し、その方式により呼出を実施する。
このようにして適切な呼出方式を選択することで、ＦＣＣＨの受信頻度を減少させ、無線端末２１の長寿命化を図ることができる。
【００５７】
次に、呼出端末情報４２として無線端末ＩＤ情報又はグループＩＤ情報のどちらを用いるかを決定する手順のフローチャートを図１０に示す。この図１０の処理は各ＭＡＣフレームに対応して実施される。無線基地局１１が無線端末２１を呼び出す場合、まず始めに呼出端末情報４２として無線端末ＩＤ情報を用いた場合にＦＣＣＨを受信することになる端末数（Ａとする）を算出する（ステップＳ１）。つまり、呼出端末数に応じて無線端末ＩＤ抽出情報を表すビットパターンのビット数を決定し、呼出待ち状態にある無線端末２１の中から無線端末ＩＤ抽出情報のビットパターンが無線端末ＩＤのビットパターンの全て又は一部と一致する無線端末２１の数Ａを算出する。
【００５８】
次に、呼出端末情報４２としてグループＩＤ情報を用いた場合にＦＣＣＨを受信することになる無線端末２１の数（Ｂとする）を算出する（ステップＳ２）。つまり、呼出待ち状態にある無線端末２１の中から呼出端末と同一の端末グループに属する無線端末２１の数Ｂを算出する。
【００５９】
その後、上記処理により算出したＦＣＣＨを受信することになる無線端末２１の数ＡとＢを比較し、無線端末数が少ない方を呼出端末情報として選択する（ステップＳ３からステップＳ４又はステップＳ３からステップＳ５）。
【００６０】
図１０の処理の結果、呼出端末がない場合、種別情報４１は「００００」（２進数表示）とし、このＭＡＣフレームにおいて呼出端末がないことを通知する。以下、図１０の処理について具体的に説明する。
【００６１】
呼出端末数が１の場合、無線端末ＩＤ情報を用いて呼出を行うと、呼出端末情報４２において呼び出す無線端末２１の無線端末ＩＤの全てのビットを送信できる。この場合、無線基地局１１から呼び出す無線端末２１を一意に指定することが可能であり、ＦＣＣＨを受信することとなる無線端末２１は１台である。一方、グループＩＤ情報を用いて呼出を行うと、ＦＣＣＨを受信することとなる無線端末２１は１２８台（＝６５５３６／１６／３２）となる。
【００６２】
すなわち、本実施形態においてグループＩＤ情報を用いた場合、スーパーフレームに含まれるフレームの数が１６、呼出端末情報４２のビット数が３２であることから、全端末を５１２（＝１６＊３２）のグループに分けることが可能である。したがって、ＭＡＣフレームに対応するグループと端末グループとでグループ分けされた各グループに属する無線端末２１は、適切にグループ分けした場合、最大でも１２８台（＝６５５３６／５１２）となり、５１２個のグループのうちから１つのグループを呼び出した場合、最大１２８台の無線端末２１がＦＣＣＨを受信することになる。
【００６３】
呼出端末数が１の場合、両者を比較すると無線端末ＩＤ情報を用いた呼出のほうがＦＣＣＨを受信する無線端末２１の数が少なくなるため、無線端末ＩＤ情報を用いた呼出を行う。呼出端末が１台で、かつ、無線端末ＩＤ情報を用いた呼出を行う場合、種別情報４１を「０００１」とし、呼出端末情報４２を、呼び出される無線端末２１の無線端末ＩＤを無線端末ＩＤ抽出情報に設定した端末ＩＤ情報とする。
【００６４】
無線端末２１は、ＢＣＣＨを受信し、その種別情報４１が「０００１」であった場合、自端末の無線端末ＩＤの全１６ビットのパターンと呼出端末情報４２の無線端末ＩＤ情報中の無線端末ＩＤ抽出情報のビットパターン（１６ビット長）を比較する。比較結果が一致する場合、無線端末２１はＦＣＣＨを受信し、その後、ＦＣＣＨにより帯域を割り当てられた場合にのみ、ＵＤＣＨを受信し、データを受け取る。
【００６５】
次に、呼出端末数が２の場合、無線端末ＩＤ情報を用いて呼出を行うと、呼出端末情報４２において呼び出す無線端末２１の無線端末ＩＤの全てのビットを送信できる。したがって、無線基地局１１から呼び出す無線端末２１を一意に指定することが可能であり、ＦＣＣＨを受信することとなる無線端末２１は２台である。一方、グループＩＤ情報を用いて呼出を行うと、ＦＣＣＨを受信することとなる無線端末２１は呼出端末が全て同じグループに属する場合に最も少ない１２８台（＝６５５３６／１６／３２）となる。両者を比較すると無線端末ＩＤ情報を用いた呼出のほうがＦＣＣＨを受信する無線端末数が少なくなるため、無線端末ＩＤ情報を用いた呼出を行う。呼出端末が２台で、かつ、無線端末ＩＤ情報を用いた呼出を行う場合、種別情報４１を「００１０」とし、呼出端末情報４２を、呼び出される２台の無線端末２１の各無線端末ＩＤを無線端末ＩＤ抽出情報に設定した端末ＩＤ情報とする。
【００６６】
無線端末２１は、ＢＣＣＨを受信し、その種別情報４１が「００１０」であった場合、自端末の無線端末ＩＤの全１６ビットのパターンと呼出端末情報４２の無線端末ＩＤ情報中の無線端末ＩＤ抽出情報のビットパターン（１６ビット長）を比較する。比較結果が一致する場合、無線端末２１はＦＣＣＨを受信し、その後、ＦＣＣＨにより帯域を割り当てられた場合にのみＵＤＣＨを受信し、データを受け取る。
【００６７】
呼出端末数が３の場合、無線端末ＩＤ情報を用いて呼出を行うと、無線端末ＩＤ情報には呼び出される無線端末２１の無線端末ＩＤの下位１０ビットが３つ無線端末ＩＤ抽出情報として設定される。このため、ＦＣＣＨを受信することとなる無線端末２１の数は１２台（＝６５５３６／１６／２＾１０＊３）である。すなわち、無線端末ＩＤ情報を用いた場合、スーパーフレームに含まれるフレームの数が１６であることから、全無線端末２１を１６のグループに分けることが可能であり、１つのグループに属する端末は最大でも４０９６台（＝６５５３６／１６）である。さらに、無線端末ＩＤの下位１０ビットのパターンと一致する無線端末２１は４台（＝４０９６／２＾１０）であり、無線端末ＩＤの下位１０ビットのパターンが３であることから１２台（＝４＊３）の無線端末２１がＦＣＣＨを受信することになる。
【００６８】
一方、グループＩＤ情報を用いて呼出を行うと、ＦＣＣＨを受信することとなる無線端末２１は呼出端末が全て同じグループに属する場合に最も少ない１２８台（＝６５５３６／１６／３２）となる。両者を比較すると無線端末ＩＤ情報を用いた呼出のほうがＦＣＣＨを受信する無線端末２１の数が少なくなるため、無線端末ＩＤ情報を用いた呼出を行う。呼出端末が３台で、かつ、無線端末ＩＤ情報を用いた呼出を行う場合、種別情報４１を「００１１」とし、呼出端末情報４２を呼び出される３台の無線端末２１の無線端末ＩＤの下位１０ビットを無線端末ＩＤ抽出情報として設定した無線端末ＩＤ情報とする。無線端末２１は、ＢＣＣＨを受信し、その種別情報４１が「００１１」であった場合、自端末の無線端末ＩＤの下位１０ビットのパターンと無線端末ＩＤ情報中の無線端末ＩＤ抽出情報のビットパターン（１０ビット長）を比較する。比較結果が一致する場合、無線端末２１はＦＣＣＨを受信し、その後、ＦＣＣＨにより帯域を割り当てられた場合にのみＵＤＣＨを受信し、データを受け取る。
【００６９】
なお、厳密に述べると、種別情報４１＝「００１１」が用いられるのは、呼び出される無線端末ＩＤの下位１０ビットのパターンが３通りの場合であり、呼出端末数が４以上の場合でも種別情報４１＝「００１１」の形式をとる場合がある。このことを図１１を用いて説明する。図１１の例では呼び出すべき無線端末２１は４台（端末１〜４）であり、それぞれの無線端末ＩＤは１１３５７、２２４５７、２４０００、２８７６５である。無線端末ＩＤを２進数表示した場合の下位１０ビットを見ると、無線端末ＩＤ＝１１３５７の端末１と無線端末ＩＤ＝２８７６５の端末４では同一パターン（「０００１０１１１０１」）となる。このことから、呼出に用いる無線端末ＩＤ抽出情報は３パターンで十分であり、呼出情報３１では、種別情報４１＝「００１１」を用いる。
【００７０】
呼出端末数が４の場合（厳密には呼出端末の下位８ビットのパターンが４の場合）、無線端末ＩＤ情報を用いて呼出を行うと、無線端末ＩＤ情報には呼び出される無線端末２１の無線端末ＩＤの下位８ビットが４つ無線端末ＩＤ抽出情報として設定される。このため、ＦＣＣＨを受信することとなる無線端末２１の数は６４台（＝６５５３６／１６／２＾８＊４）である。一方、グループＩＤ情報を用いて呼出を行うと、ＦＣＣＨを受信することとなる無線端末２１は呼出端末が全て同じグループに属する場合に最も少ない１２８台（＝６５５３６／１６／３２）となる。両者を比較すると無線端末ＩＤ情報を用いた呼出のほうがＦＣＣＨを受信する端末数が少なくなるため、無線端末ＩＤ情報を用いた呼出を行う。呼出端末が４台で、かつ、無線端末ＩＤ情報を用いた呼出を行う場合、種別情報４１を「０１００」とし、呼出端末情報４２を呼び出される４台の無線端末２１の無線端末ＩＤの下位８ビットを無線端末ＩＤ抽出情報として設定した無線端末ＩＤ情報とする。
【００７１】
無線端末２１は、ＢＣＣＨを受信し、その種別情報４１が「０１００」であった場合、自端末の無線端末ＩＤの下位８ビットのパターンと無線端末ＩＤ情報中の無線端末ＩＤ抽出情報のビットパターン（８ビット長）を比較する。比較結果が一致する場合、その無線端末２１はＦＣＣＨを受信し、その後、ＦＣＣＨにより帯域を割り当てられた場合にのみＵＤＣＨを受信し、データを受け取る。
【００７２】
呼出端末数が５の場合（厳密には呼出端末の下位６ビットのパターンが５の場合）、無線端末ＩＤ情報を用いて呼出を行うと、無線端末ＩＤ情報には呼び出される無線端末２１の無線端末ＩＤの下位６ビットが５つ無線端末ＩＤ抽出情報として設定される。このため、ＦＣＣＨを受信することとなる無線端末２１の数は３２０台（＝６５５３６／１６／２＾６＊５）である。一方、グループＩＤ情報を用いて呼出を行うと、ＦＣＣＨを受信することとなる無線端末２１は呼出端末が全て同じグループに属する場合に最も少ない１２８台（＝６５５３６／１６／３２）となる。最大となるケースは、呼出端末それぞれが全て別のグループに属する場合で、６４０台（＝６５５３６／１６／３２＊５）である（呼出端末の下位６ビットのパターンが５という条件を考えた場合、最大台数は４０９６台（＝６５５３６／１６）となる。）。つまり、グループＩＤ情報を用いた呼出を行う場合、呼び出される無線端末２１の属するグループ数によってＦＣＣＨを受信することになる無線端末数が異なる。このため、ＦＣＣＨを受信することになる端末数が少ない方式の呼出端末情報４２を選択して用いるようにする。呼出端末が５台で、かつ、無線端末ＩＤ情報を用いた呼出を行う場合は、種別情報４１を「０１０１」とし、呼出端末情報４２を呼び出される５台の無線端末２１の無線端末ＩＤの下位６ビットを無線端末ＩＤ抽出情報に設定した無線端末ＩＤ情報とする。一方、グループＩＤ情報を用いた呼出を行う場合は、種別情報４１を「１００１」とし、呼出端末情報４２を呼び出される無線端末２１が属するグループＩＤに対応した１〜５ビットに「１」を設定したグループＩＤ情報とする。
【００７３】
無線端末２１は、ＢＣＣＨを受信し、その種別情報４１が「０１０１」であった場合、自端末の無線端末ＩＤの下位６ビットのパターンと無線端末ＩＤ情報中の無線端末ＩＤ抽出情報のビットパターン（６ビット長）を比較する。比較結果が一致する場合はその無線端末２１はＦＣＣＨを受信し、その後、ＦＣＣＨにより帯域を割り当てられた場合にのみ、ＵＤＣＨを受信し、データを受け取る。一方、種別情報４１が「１００１」の場合、無線端末２１はグループＩＤ情報の自身の属する端末グループを示すビットを確認する。確認したビットが「１」に設定されている場合はその無線端末２１はＦＣＣＨを受信し、その後、ＦＣＣＨにより帯域を割り当てられた場合にのみ、ＵＤＣＨを受信し、データを受け取る。
【００７４】
例えば、呼出端末数が５、呼出端末の下位６ビットのパターンが５であり、各無線端末２１のグループＩＤが０、１、２、３、４と５種類であった場合、グループＩＤを用いたときのＦＣＣＨを受信することになる端末数は６４０台（＝６５５３６／１６／３２＊５）台となり、無線端末ＩＤ情報を用いたときの３２０台よりも多くなる。この場合、種別情報４１は「０１０１」となり呼出端末情報４２として無線端末ＩＤ情報を選択する。一方、呼出端末数が５、呼出端末の下位６ビットのパターンが５であり、各無線端末２１のグループＩＤが０、１と２種類であった場合、グループＩＤを用いたときのＦＣＣＨを受信することになる端末数は２５６（＝６５５３６／１６／３２＊２）台となり、無線端末ＩＤ情報を用いたときの３２０台よりも少なくなる。この場合、種別情報４１は「１００１」となり呼出端末情報４２としてグループＩＤ情報を選択する。
【００７５】
呼出端末数が６の場合（厳密には呼出端末の下位５ビットのパターンが６の場合）、無線端末ＩＤ情報を用いて呼出を行うと、無線端末ＩＤ情報には呼び出される無線端末２１の無線端末ＩＤの下位５ビットが６つ無線端末ＩＤ抽出情報として設定される。このため、ＦＣＣＨを受信することとなる無線端末２１の数は７６８台（＝６５５３６／１６／２＾５＊６）である。一方、グループＩＤ情報を用いて呼出を行うと、ＦＣＣＨを受信することとなる無線端末２１は呼出端末が全て同じグループに属する場合に最も少ない１２８台（＝６５５３６／１６／３２）となる。最大となるケースは、呼出端末それぞれが全て別のグループに属する場合で、７６８台（＝６５５３６／１６／３２＊６）である（呼出端末の下位５ビットのパターンが６という条件を考えた場合、最大台数は４０９６台（＝６５５３６／１６）となる。）。したがって、呼出端末数が５の場合（厳密には呼出端末の下位６ビットのパターンが５の場合）と同様にＦＣＣＨを受信することになる端末数が少ない呼出端末情報４２を選択することになる。呼出端末が６台で、かつ、無線端末ＩＤ情報を用いた呼出を行う場合、種別情報４１を「０１１０」とし、呼出端末情報４２を呼び出される６台の無線端末２１の無線端末ＩＤの下位５ビットを無線端末ＩＤ抽出情報として設定した無線端末ＩＤ情報とする。一方、グループＩＤ情報を用いた呼出を行う場合は、種別情報４１を「１００１」とし、呼出端末情報４２を呼び出される無線端末２１が属するグループＩＤに対応した１〜６ビットに「１」を設定したグループＩＤ情報とする。
【００７６】
無線端末２１は、ＢＣＣＨを受信し、種別情報４１が「０１１０」の場合、自端末の無線端末ＩＤの下位５ビットのパターンと無線端末ＩＤ情報中の無線端末ＩＤ抽出情報のビットパターン（５ビット長）を比較する。比較結果が一致する場合、ＦＣＣＨを受信し、その後、ＦＣＣＨにより帯域を割り当てられた場合にのみ、ＵＤＣＨを受信し、データを受け取る。一方、種別情報４１が「１００１」の場合、呼出端末数が５の場合と同様の動作を行う。
【００７７】
呼出端末数が７の場合（厳密には呼出端末の下位４ビットのパターンが７の場合）、無線端末ＩＤ情報を用いて呼出を行うと、無線端末ＩＤ情報には呼び出される無線端末２１の無線端末ＩＤの下位４ビットが７つ無線端末ＩＤ抽出情報として設定される。このため、ＦＣＣＨを受信することとなる無線端末２１の数は１７９２台（＝６５５３６／１６／２＾４＊７）である。一方、グループＩＤ情報を用いて呼出を行うと、ＦＣＣＨを受信することとなる無線端末２１は呼出端末が全て同じグループに属する場合に最も少ない１２８台（＝６５５３６／１６／３２）となる。最大となるケースは、呼出端末それぞれが全て別のグループに属する場合で、８９６台（＝６５５３６／１６／３２＊７）である（呼出端末の下位４ビットのパターンが７という条件を考えた場合、最大台数は４０９６台（＝６５５３６／１６）となる。）。したがって、呼出端末数が５の場合（厳密には呼出端末の下位６ビットのパターンが５の場合）と同様にＦＣＣＨを受信することになる端末数が少ない呼出端末情報４２を選択することになる。呼出端末が７台で、かつ、無線端末ＩＤ情報を用いた呼出を行う場合、種別情報４１を「０１１１」とし、呼出端末情報４２を呼び出される７台の無線端末２１の無線端末ＩＤの下位４ビットを無線端末ＩＤ抽出情報に設定した無線端末ＩＤ情報とする。一方、グループＩＤ情報を用いた呼出を行う場合、種別情報４１を「１００１」とし、呼出端末情報４２を呼び出される無線端末２１のグループＩＤに対応した１〜７ビットに「１」を設定したグループＩＤ情報とする。
【００７８】
無線端末２１は、ＢＣＣＨを受信し、種別情報４１が「０１１１」の場合、自端末の無線端末ＩＤの下位４ビットのパターンと無線端末ＩＤ情報中の無線端末ＩＤ抽出情報のビットパターン（４ビット長）を比較する。比較結果が一致する場合はＦＣＣＨを受信し、その後、ＦＣＣＨにより帯域を割り当てられた場合にのみ、ＵＤＣＨを受信し、データを受け取る。一方、種別情報４１が「１００１」の場合、呼出端末数が５の場合と同様の動作を行う。
【００７９】
呼出端末数が８の場合（厳密には呼出端末の下位４ビットのパターンが８の場合）、無線端末ＩＤ情報を用いて呼出を行うと、無線端末ＩＤ情報には呼び出される無線端末２１の無線端末ＩＤの下位４ビットが８つ無線端末ＩＤ抽出情報として設定される。このため、ＦＣＣＨを受信することとなる無線端末２１の数は２０４８台（＝６５５３６／１６／２＾４＊８）である。一方、グループＩＤ情報を用いて呼出を行うと、ＦＣＣＨを受信することとなる無線端末２１は呼出端末が全て同じグループに属する場合に最も少ない１２８台（＝６５５３６／１６／３２）となる。最大となるケースは、呼出端末それぞれが全て別のグループに属する場合で、１０２４台（＝６５５３６／１６／３２＊８）である（呼出端末の下位４ビットのパターンが８という条件を考えた場合、最大台数は４０９６台（＝６５５３６／１６）となる。）。したがって、呼出端末数が５の場合（厳密には呼出端末の下位６ビットのパターンが５の場合）と同様にＦＣＣＨを受信することになる端末数が少ない呼出端末情報を選択することになる。呼出端末が８台で、かつ、無線端末ＩＤ情報を用いた呼出を行う場合、種別情報４１を「１０００」とし、呼出端末情報４２を呼び出される８台の無線端末２１の無線端末ＩＤの下位４ビットを無線端末ＩＤ抽出情報として設定した無線端末ＩＤ情報とする。一方、グループＩＤ情報を用いた呼出を行う場合、種別情報４１を「１００１」とし、呼出端末情報４２を呼び出される無線端末２１のグループＩＤに対応した１〜８ビットに「１」を設定したグループＩＤ情報とする。
【００８０】
無線端末２１は、ＢＣＣＨを受信し、種別情報４１が「１０００」の場合、自端末の無線端末ＩＤの下位４ビットのパターンと無線端末ＩＤ情報中の無線端末ＩＤ抽出情報のビットパターン（４ビット長）を比較する。比較結果が一致する場合、その無線端末２１はＦＣＣＨを受信し、その後、ＦＣＣＨにより帯域を割り当てられた場合にのみＵＤＣＨを受信し、データを受け取る。一方、種別情報４１が「１００１」の場合、呼出端末数が５の場合と同様の動作を行う。
【００８１】
呼出端末数が９以上の場合（厳密には呼出端末の下位４ビットのパターンが９以上の場合）、必ずグループＩＤ情報を用いた呼出を行う。
【００８２】
以上のように、本発明の実施の形態では、呼出情報３１内の種別情報４１が呼出端末情報４２のフォーマット（形式）を表し、呼出端末情報４２は無線端末ＩＤ情報、又は、グループＩＤ情報のいずれかである。無線端末ＩＤ情報は呼び出す無線端末２１の無線端末ＩＤの一部又は全部を表し、グループＩＤ情報は呼び出す無線端末２１の属する端末グループをビットマップにより表す。そして、ＦＣＣＨを受信することになる端末数が少ない呼出端末情報４２の形式を選択する。呼出端末情報４２として無線端末ＩＤ情報を用いた場合にＦＣＣＨを受信することになる無線端末２１の数と、呼出端末情報４２としてグループＩＤ情報を用いた場合にＦＣＣＨを受信することになる無線端末２１の数を算出し、その２つの値を比較することでＦＣＣＨを受信することになる無線端末２１の数が少ない呼出端末情報４２の形式を選択する。ここで、無線基地局１１における呼出端末情報４２の選択は、呼出を行うたびに実施される。
【００８３】
本実施形態によれば、呼び出す無線端末２１の数やその無線端末ＩＤのパターンにより、動的に呼出端末情報４２を選択できる。このため、呼び出す無線端末２１の数（厳密には呼出端末の下位数ビットのパターンの数）が多く、無線端末ＩＤ情報を用いてもＦＣＣＨを受信する無線端末２１を限定することが難しい場合に、グループＩＤ情報を用いて呼出を行うことによりＦＣＣＨを受信する無線端末２１を限定することができる。これによって、無線端末２１における不要なＦＣＣＨの受信を低減できる。このことにより、呼出待ち状態における無線端末２１の待受時の消費電力を低減でき、無線端末２１の長寿命化が図れる。
【００８４】
同様に、１台や２台といった少ない数の無線端末２１が呼び出される場合には、無線端末ＩＤ情報を用いて呼出を行うことによりＦＣＣＨを受信する無線端末２１を限定することができる。これによって、無線端末２１における不要なＦＣＣＨの受信を低減できる。このことにより、呼出待ち状態における無線端末２１の待受時の消費電力を低減でき、無線端末２１の長寿命化が図れる。
【００８５】
以上のように、本発明により、適切な呼出方式を選択することで、無線端末２１の長寿命化が図れる。
【００８６】
以上、本発明の実施の形態について説明したが、本発明の無線アクセスシステムは、上述の図示例にのみ限定されるものではなく、本発明の要旨を逸脱しない範囲内において種々変更を加え得ることは勿論である。
【符号の説明】
【００８７】
１０…有線ネットワーク、１１…無線基地局、１３…報知信号生成部、１４…ＭＡＣフレーム生成部、１５…送受信部、１６…データベース、２１…無線端末、２２…制御部、２３…送受信部、２４…報知信号１判定部、２５…報知信号２受信部、２６…データ受信部、３１…呼出情報、４１…種別情報、４２…呼出端末情報
【図１】
2010199901.tif 000003
【図２】
2010199901.tif 000004
【図３】
2010199901.tif 000005
【図４】
2010199901.tif 000006
【図５】
2010199901.tif 000007
【図６】
2010199901.tif 000008
【図７】
2010199901.tif 000009
【図８】
2010199901.tif 000010
【図９】
2010199901.tif 000011
【図１０】
2010199901.tif 000012
【図１１】
2010199901.tif 000013
【図１２】
2010199901.tif 000014
【図１３】
2010199901.tif 000015